(57)【要約】      （修正有）【課題】地面から雪を降ろすことができる屋根の高さや奥行を飛躍的に拡大するとともに、使用時の安全性を飛躍的に高め、加えて、保管性，携帯性，軽量性及びコンパクト性を高めた屋根用雪降ろし器を提供する。【解決手段】地面から屋根に積もった雪を降ろす屋根用雪降ろし器１を構成するに際して、所定の長さを有する棒体部４に対して左右に配した雪掻面Ｃｐ，Ｃｑを有する雪掻プレート部２ｐ，２ｑを備えてなる雪降ろし器本体部２と、この雪降ろし器本体部２に対して一端３ｓ側を結合し、かつ他端３ｔ側にグリップ部３ｇを設けることにより雪降ろし器本体部２を引張るための所定長さのワイヤ部３とを具備する。【選択図】図１
0003192826.tif 000002
【実用新案登録請求の範囲】
【請求項１】
地面から屋根に積もった雪を降ろす屋根用雪降ろし器であって、所定の長さを有する棒体部に対して左右に配した雪掻面を有する雪掻プレート部を備えてなる雪降ろし器本体部と、この雪降ろし器本体部に対して一端側を結合し、かつ他端側にグリップ部を設けることにより前記雪降ろし器本体部を引張るための所定長さのワイヤ部とを具備してなることを特徴とする屋根用雪降ろし器。
【請求項２】
前記雪降ろし器本体部は、前記棒体部の所定位置における左右の外面にヒンジ部を介して一端側を回動自在に取付け、かつ当該棒体部に沿わせた閉位置又は他端側が当該棒体部から離間し、所定の位置で停止する開位置に変位可能な左右一対の雪掻プレート部とを備えてなることを特徴とする請求項１記載の屋根用雪降ろし器。
【請求項３】
前記雪降ろし器本体部は、前記閉位置で前記雪掻プレート部を保持機構により保持するとともに、前記ワイヤ部を引張ることにより、前記保持機構による保持を解除し、弾性部材により前記雪掻プレート部を前記開位置へ変位させる自動開閉機能部を備えることを特徴とする請求項１又は２記載の屋根用雪降ろし器。
【考案の詳細な説明】
【技術分野】
【０００１】
本考案は、地面から住宅等の屋根に積もった雪を降ろす際に用いて好適な屋根用雪降ろし器に関する。
【背景技術】
【０００２】
従来、住宅等の屋根に積もった雪を屋根に上ることなく人力で降ろすことができる屋根用雪降ろし器としては、特許文献１で開示される勾配・傾斜角度可変式簡易雪おろし伸縮棒，特許文献２で開示される雪降ろし具，及び特許文献３で開示される雪降ろし具が知られている。
【０００３】
特許文献１に開示される勾配・傾斜角度可変式簡易雪おろし伸縮棒は、軒先に近い雪おろしについても、屋根、他高所の雪おろしについても、いちいち危険な屋根、他高所に上らずに雪おろしをする事が出来るようにしたことを目的とするものであり、具体的には、本体伸縮棒上部に、勾配・傾斜角度可変の為の基部であり、雪おろし板・伸縮棒の基部を設け、この基部により、雪おろし板・伸縮棒を支え且つ勾配・傾斜角度を簡単に変える事かでき固定する事が出来る可変支持固定部と、固定部を備えた勾配・傾斜角度可変の仕組みとを備え、本体伸縮棒、雪おろし板・伸縮棒の伸縮調整できるようにしたものである。また、特許文献２に開示される雪降ろし具は、積雪時に家屋の周囲や車庫やビニールハウスの屋根等の屋根に登れない所でも簡単に雪降ろしできる軽く扱い易い雪降ろし具の提供を目的としたものであり、具体的には、長方形状雪降ろし板の一面の中央部には柄を立設し．該柄の雪降ろし板近くには角度調整部を設け、柄の長さも調整できる様にすると共に雪降ろし板の周側辺の一部には軟質プラスチック製エッジを装着したものである。さらに、特許文献３に開示される雪降ろし具は、屋根に積もった雪を、屋根に登らなくとも雪降ろし作業を行える道具の提供を目的とするものであり、具体的には、伸縮自在な柄の先端には平板状の雪切り板を取着し．該雪切り板両側からは雪切り縦板を立設し、両雪切り縦板上端前部を支軸としてダンパーを遊嵌し、雪切り板先端部にはダンパー係止用ストッパーを取着して雪降ろし具としたものである。
【先行技術文献】
【特許文献】
【０００４】
【特許文献１】実用新案登録第３１３２６９５号公報
【特許文献２】実用新案登録第３０５９０４１号公報
【特許文献３】特開平１０−２５２０２９号公報
【考案の概要】
【考案が解決しようとする課題】
【０００５】
しかし、上述した従来の屋根用雪降ろし器（雪降ろし具等）は、次のような問題点があった。
【０００６】
第一に、基本的な構造として、柄を有するとともに、この柄の先端に雪を降ろす具本体を有しているため、使用者は、柄を持って屋根上の雪を降ろす必要がある。したがって、地面から屋根の上の雪を降ろす場合、届く高さや奥行きに限界がある。しかも、軒先に近い場所で作業を行う必要があるため、落下した雪が当たる虞れがあり、安全性の観点からも難がある。結局、雪降ろし器としての能力（性能）や安全性を確保する観点からは、必ずしも十分といえるものではない。
【０００７】
第二に、柄を伸縮可能に構成し、使用時には伸長させることにより屋根の高い位置に届くようにしたり、非使用時に短縮させることにより持ち運びや保管を容易に行えるようにするなど、ある程度の改善もなされてはいるものの、柄の存在がなくなるわけではない。したがって、携帯性や保管性に難があるとともに、全体の重量が大きくなり、かつ長い柄を取り扱うことから、取扱性や作業性の低下も無視できない。
【０００８】
本考案は、このような背景技術に存在する課題を解決した屋根用雪降ろし器の提供を目的とするものである。
【課題を解決するための手段】
【０００９】
本考案は、上述した課題を解決するため、地面Ｅから屋根Ｒに積もった雪Ｓを降ろす屋根用雪降ろし器１を構成するに際して、所定の長さＬｍを有する棒体部４に対して左右に配した雪掻面Ｃｐ，Ｃｑを有する雪掻プレート部２ｐ，２ｑを備えてなる雪降ろし器本体部２と、この雪降ろし器本体部２に対して一端３ｓ側を結合し、かつ他端３ｔ側にグリップ部３ｇを設けることにより雪降ろし器本体部２を引張るための所定長さのワイヤ部３とを具備してなることを特徴とする。
【００１０】
この場合、考案の好適な態様により、雪降ろし器本体部２は、棒体部４の所定位置における左右の外面にヒンジ部６ｐ，６ｑを介して一端２ｐｓ，２ｑｓ側を回動自在に取付け、かつ当該棒体部４に沿わせた閉位置Ｘｎ又は他端２ｐｔ，２ｑｔ側が当該棒体部４から離間し、所定の位置で停止する開位置Ｘｐに変位可能な左右一対の雪掻プレート部２ｐ，２ｑとを備えて構成できる。また、雪降ろし器本体部２は、閉位置Ｘｎで雪掻プレート部２ｐ，２ｑを保持機構７により保持するとともに、ワイヤ部３を引張ることにより、保持機構７による保持を解除し、弾性部材８ｐ，８ｑにより雪掻プレート部２ｐ，２ｑを開位置Ｘｐへ変位させる自動開閉機能部９を設けることができる。
【考案の効果】
【００１１】
このような構成を有する本考案に係る屋根用雪降ろし器１によれば、次のような顕著な効果を奏する。
【００１２】
（１）  雪降ろし器本体部２とこの雪降ろし器本体部２を引張るためのワイヤ部３を備えて構成するため、基本的な構造において柄が存在しない。したがって、地面Ｅから屋根Ｒの上の雪Ｓを降ろす際には、雪降ろし器本体部２を屋根Ｒの上に投げて使用できるため、柄を有する従来の雪降ろし器に対して、地面Ｅから雪Ｓを降ろすことができる屋根Ｒの高さや奥行を飛躍的に拡大できる。
【００１３】
（２）  屋根Ｒの雪Ｓを降ろす際には、ワイヤ部３を手で持つことができればよいため、軒先から離れた場所、即ち、屋根Ｒから落下する雪Ｓに当たらない離れた場所でワイヤ部３を引張ることができる。したがって、柄を有する従来の雪降ろし器に対して、使用時の安全性を高めることができるとともに、降ろす際における雪Ｓの状態などを容易かつ確実に監視することができる。
【００１４】
（３）  柄の代わりとなるワイヤ部３を備えるため、ワイヤ部３を備えることに伴う各種効果、具体的には、保管や携帯を行う際には、雪降ろし器本体部２に見合うスペースを確保できれば足りるため、保管性及び携帯性に優れる。しかも、軽量性及びコンパクト性に優れるため、取扱性及び作業性の向上、更には労力の軽減にも寄与できる。
【００１５】
（４）  好適な態様により、雪降ろし器本体部２を、棒体部４の所定位置における左右の外面にヒンジ部６ｐ，６ｑを介して一端２ｐｓ，２ｑｓ側を回動自在に取付け、かつ当該棒体部４に沿わせた閉位置Ｘｎ又は他端２ｐｔ，２ｑｔ側が当該棒体部４から離間し、所定の位置で停止する開位置Ｘｐに変位可能な左右一対の雪掻プレート部２ｐ，２ｑとを備えて構成すれば、雪降ろし器本体部２を屋根Ｒの上に投げる際には、雪掻プレート部２ｐ，２ｑを閉位置Ｘｎできるため、全体をスリムな状態にして投げ易くできるとともに、雪Ｓを降ろす際には、ワイヤ部３を引張ることにより、雪Ｓの抵抗により雪掻プレート部２ｐ，２ｑを自動で開くことができるため、開位置Ｘｐにおける雪掻プレート部２ｐ，２ｑにより雪Ｓを確実に掻き降ろすことができる。
【００１６】
（５）  好適な態様により、雪降ろし器本体部２に、閉位置Ｘｎで雪掻プレート部２ｐ，２ｑを保持機構７により保持するとともに、ワイヤ部３を引張ることにより、保持機構７による保持を解除し、弾性部材８ｐ，８ｑにより雪掻プレート部２ｐ，２ｑを開位置Ｘｐへ変位させる自動開閉機能部９を設ければ、雪降ろし器本体部２を屋根Ｒの上に投げる際には、雪掻プレート部２ｐ，２ｑを閉位置Ｘｎにロックできるとともに、ワイヤ部３を引張ることにより雪掻プレート部２ｐ，２ｑに対するロックを自動で解除できるため、使用時の取扱性（作業性）や作業容易性をより高めることができる。
【図面の簡単な説明】
【００１７】
【図１】本考案の好適実施形態に係る屋根用雪降ろし器であって雪掻プレート部が開位置の底面図、
【図２】同屋根用雪降ろし器であって雪掻プレート部が開位置の側面図、
【図３】同屋根用雪降ろし器であって雪掻プレート部が閉位置の底面図、
【図４】同屋根用雪降ろし器であって雪掻プレート部が閉位置の側面図、
【図５】同屋根用雪降ろし器の使用方法及び作用説明図、
【考案を実施するための形態】
【００１８】
次に、本考案に係る好適実施形態を挙げ、図面に基づき詳細に説明する。
【００１９】
まず、本実施形態に係る屋根用雪降ろし器１の構成について、図１〜図４を参照して説明する。
【００２０】
屋根用雪降ろし器１は、図１に示すように、大別して、雪降ろし器本体部２とワイヤ部３を備える。雪降ろし器本体部２は、所定の長さＬｍ（図２参照）、例えば、５０〔ｃｍ〕程度を有する棒体部４を備える。棒体部４は、プラスチック素材或いはアルミニウム素材等の軽量かつ高強度の素材を用いて内部中空の丸棒状（円筒状）に形成し、後端（図中、左側）は開口部４ｅとし、かつ前端は半球状に形成することにより閉塞部とする。
【００２１】
一方、この棒体部４の所定位置、望ましくは棒体部４の前端付近における左右の外面には、左右一対の雪掻プレート部２ｐ，２ｑの一端２ｐｓ，２ｑｓをヒンジ部６ｐ，６ｑを介してそれぞれ回動自在に取付ける。一方の雪掻プレート部２ｐは、全体をプラスチック素材或いはアルミニウム素材等の軽量かつ高強度の素材を用いて矩形状に形成する。なお、１０…は、雪掻プレート部２ｐの下端辺に一体形成した一又は二以上（例示は二つ）の突片部であり、雪掻プレート部２ｐを雪Ｓに入り込ませる（食い込ませる）ことができる。これにより、雪掻プレート部２ｐの後面は雪掻面Ｃｐとなる。なお、雪掻プレート部２ｐの一端２ｐｓをヒンジ部６ｐを介して棒体部４に取付けるに際しては、図２に示すように、雪掻プレート部２ｐの上部を選定することが望ましい。また、一方の雪掻プレート部２ｐについて説明したが、他方の雪掻プレート部２ｑも、左右対称に構成する点を除いて一方の雪掻プレート部２ｐ側と同様に構成することができる。雪掻プレート部２ｑ側において、Ｃｑは雪掻プレート部２ｑの雪掻面、６ｑはヒンジ部をそれぞれ示す。
【００２２】
このような構成により、雪掻プレート部２ｐ，２ｑの他端２ｐｔ，２ｑｔは自由端となり、ヒンジ部６ｐ，６ｑを支点に回動変位可能となる。これにより、雪掻プレート部２ｐ，２ｑは、他端２ｐｔ，２ｑｔを後方へ回動変位させ、棒体部４に沿わせた閉位置Ｘｎ（図３及び図４）に位置させることができる。他方、他端２ｐｔ，２ｑｔ側を棒体部４から離間させた際には、所定の角度で広がる開位置Ｘｐで停止するように構成する。例示の場合、棒体部４の所定位置に図１に示すようなストッパ部１１…を固定した。これにより、雪掻プレート部２ｐ，２ｑの他端２ｐｔ，２ｑｔ側を棒体部４から離間させた場合であっても、雪掻プレート部２ｐ，２ｑはストッパ部１１…に当接し、開位置Ｘｐで停止する。
【００２３】
以上により、雪降ろし器本体部２の基本形態である本体基部２ｍが構成される。なお、この本体基部２ｍのみでも雪降ろし器本体部２として機能させることができる。この場合、棒体部４の後端にワイヤ部３の一端を固定すればよい。本体基部２ｍのみの作用については後述する。
【００２４】
他方、本実施形態に係る雪降ろし器本体部２は、本体基部２ｍに対して、さらに、自動開閉機能部９を設けた。自動開閉機能部９は、閉位置Ｘｎで雪掻プレート部２ｐ，２ｑを保持機構７により保持するとともに、ワイヤ部３を引張ることにより、保持機構７による保持を解除し、弾性部材８ｐ，８ｑにより雪掻プレート部２ｐ，２ｑを開位置Ｘｐへ変位させる機能を備える。
【００２５】
この場合、保持機構７は、図２（及び図１）に示すように、棒体部４の中間位置に、回動自在に配設した回動軸部１２を備える。回動軸部１２の両端側は棒体部４から左右側方に突出するため、回動軸部１２の両端にはＬ形の係合レバー部１３ｐ，１３ｑの中間折部をそれぞれ固定して構成する。係合レバー部１３ｐ，１３ｑの一端部１３ｐｒ，１３ｑｒは操作部となるため、一端部１３ｐｒと１３ｑｒ間にはリンクバー１４を架設し、このリンクバー１４の中央位置に、ワイヤ部３の一端３ｓ側を結合、望ましくは回動自在に結合する。そして、ワイヤ部３の他端側は、リンクバー１４の近傍に位置する棒体部４の周面に形成した開口部１５から当該棒体部４の内部を通し、後端の開口部４ｅから外部に導出させる。
【００２６】
また、弾性部材８ｐ，８ｑは、図１に示すように、スプリング８ｐｓ，８ｑｓにより構成する。この場合、スプリング８ｐｓは、雪掻プレート部２ｐと棒体部４の周面間に圧縮状態に介在させるとともに、スプリング８ｑｓは、雪掻プレート部２ｑと棒体部４の周面間に圧縮状態に介在させる。これにより、図１及び図２に示すように、開位置Ｘｐにおける雪掻プレート部２ｐ，２ｑはスプリング８ｐｓ，８ｑｓの弾性（弾発力）により広がる方向に付勢されるとともに、ストッパ部１１…により位置規制、即ち、開位置Ｘｐに安定した状態で保持される。これに対して、図３及び図４に示すように、雪掻プレート部２ｐ，２ｑをスプリング８ｐｓ，８ｑｓの弾性に抗する外力で閉方向に回動変位させ、棒体部４に沿わせた状態にするとともに、係合レバー部１３ｐ，１３ｑを回動変位させ、係合レバー部１３ｐ，１３ｑの他端部（先端部）１３ｐｓ，１３ｑｓを、図４に示すように、各雪掻プレート部２ｐ，２ｑに係合させれば、各雪掻プレート部２ｐ，２ｑを閉位置Ｘｎに保持できる。この場合、雪掻プレート部２ｐ，２ｑはスプリング８ｐｓ，８ｑｓに付勢され、係合レバー部１３ｐ，１３ｑの他端部（先端部）１３ｐｓ，１３ｑｓに圧接するため、雪掻プレート部２ｐ，２ｑは閉位置Ｘｎにセットされる。即ち、閉位置Ｘｎにロック（保持）される。
【００２７】
他方、ワイヤ部３は、所定長さのロープを使用できる。この場合、市販されている汎用的なロープを利用可能である。なお、種類は特に限定するものではないが、引張強度に強く、かつ軽量なロープが望ましい。具体的には、天然繊維又は化学繊維を用いた縄材を用いることができる。長さとしては、１０〜２０〔ｍ〕程度を目安にできるが、特に限定するものではなく、例えば、使用者Ｈの希望に応じて切断し、任意の長さに設定可能である。或いは、必要に応じて複数のロープを着脱部により連結可能に構成してもよい。また、ワイヤ部３の一端３ｓ側は、前述したように、開口部１５から棒体部４の内部に収容するとともに、周面に形成した開口部１５から外部に導出し、一端３ｓ側をリンクバー１４の中央位置に結合することができる。
【００２８】
さらに、ワイヤ部３の他端３ｔにはグリップ部３ｇを設ける。このグリップ部３ｇは雪降ろし器本体部２を、ワイヤ部３を介して引張るためのグリップとなるため、使用者Ｈが持ち易く、かつ引張り易い形状及び大きさを選定する。例示のグリップ部３ｇは滑り止めを設けた丸棒体３ｇｂにより形成し、この丸棒体３ｇｂの中央位置にワイヤ部３の他端３ｔを結合した。なお、グリップ部３ｇは特定の部材を設けて構成してもよいし、ワイヤ部３の他端３ｔ側にワイヤ部の結び目を設けるなどにより構成してよい。また、ワイヤ部３の他端３ｔをそのまま用いてもよい。
【００２９】
次に、本実施形態に係る屋根用雪降ろし器１の使用方法及び作用について、図５を参照して説明する。
【００３０】
まず、屋根用雪降ろし器１を使用する際には、図３及び図４に基づいて説明したように、雪掻プレート部２ｐ，２ｑを閉位置Ｘｎにセットする。そして、使用者Ｈは、図５（ａ）に示すように、棒体部４を手で持ち、住宅の屋根Ｒの上に積もっている雪Ｓに対して、降ろしたい雪Ｓの部位をめがけ、雪降ろし器本体部２を投げ上げる。
【００３１】
屋根Ｒの上に投げ上げた状態の雪降ろし器本体部２を図５（ｂ）に示す。そして、使用者Ｈはワイヤ３を手で持つとともに、軒先Ｒｓから落下する雪Ｓに当たらないように、軒先Ｒｓから離れ、この離れた場所Ｘｗからワイヤ３を引張る。これにより、ワイヤ３の一端３ｓがリンクバー１４を引張るため、係合レバー部１３ｐ，１３ｑが回動変位する。この結果、図１及び図２に示すように、係合レバー部１３ｐ，１３ｑの他端部１３ｐｓ，１３ｑｓは、各雪掻プレート部２ｐ，２ｑに対する係合を解除する方向に変位する。この際、雪掻プレート部２ｐ，２ｑはスプリング８ｐｓ，８ｑｓに付勢されているため、雪掻プレート部２ｐ，２ｑは自動で開位置Ｘｐ、即ち、図１及び図２に示す開位置Ｘｐに変位し、ストッパ部１１…により停止する。
【００３２】
この後、さらにワイヤ３を引張れば、図５（ｃ）に示すように、開位置Ｘｐにある雪掻プレート部２ｐ，２ｑにより雪Ｓを屋根Ｒから掻き落とすことができる。なお、ワイヤ３を引張った際に、各雪掻プレート部２ｐ，２ｑに対する係合レバー部１３ｐ，１３ｑの係合が解除されるが、雪掻プレート部２ｐ，２ｑは解除された時点で完全に開位置Ｘｐに変位する必要はない。即ち、係止が解除されるのみでよい。この後、ワイヤ３を引張ることにより、雪Ｓが抵抗となり、雪降ろし器本体部２の移動とともに、雪掻プレート部２ｐ，２ｑを開位置Ｘｐまで開くことができる。
【００３３】
したがって、前述したように、本実施形態に係る屋根用雪降ろし器１は、自動開閉機能部９を備えていない基本形態、即ち、本体基部２ｍのみであっても機能させることができる。この場合、本体基部２ｍを投げ上げる際には、雪掻プレート部２ｐ，２ｑが閉位置Ｘｎに保持（ロック）された状態にはならないため、安定性に劣るが、必要により、雪掻プレート部２ｐ，２ｑが容易に回動変位しないように、ヒンジ部６ｐ，６ｑの摩擦係数を高く設定するなどの手段を講じることにより実用可能である。
【００３４】
そして、雪Ｓを屋根Ｒから掻き落としたときは、雪降ろし器本体部２（本体基部２ｍ）も一緒に屋根Ｒから落下するため、以後、同様の操作、即ち、図５（ａ）〜（ｃ）の操作（作業）を繰り返すことにより、屋根Ｒの上の雪Ｓを順次掻き落とすことができるとともに、屋根Ｒに上がることなく、一連の雪降ろし作業を行うことができる。なお、ワイヤ３を引張る場合、地面Ｅ（敷地）が広い場合には、グリップ３ｇを持ち使用者Ｈ自身が移動してもよいし、或いは敷地が制限される場合、使用者Ｈは場所Ｘｗを変わることなくワイヤ部３を順次手繰り寄せる態様で引張ってもよい。
【００３５】
よって、このような本実施形態に係る屋根用雪降ろし器１によれば、雪降ろし器本体部２とこの雪降ろし器本体部２を引張るためのワイヤ部３を備えて構成するため、基本的な構造において柄が存在しない。したがって、地面Ｅから屋根Ｒの上の雪Ｓを降ろす際には、雪降ろし器本体部２を屋根Ｒの上に投げて使用できるため、柄を有する従来の雪降ろし器に対して、地面Ｅから雪Ｓを降ろすことができる屋根Ｒの高さや奥行を飛躍的に拡大できる。また、屋根Ｒの雪Ｓを降ろす際には、ワイヤ部３を手で持つことができればよいため、軒先から離れた場所、即ち、屋根Ｒから落下する雪Ｓに当たらない離れた場所でワイヤ部３を引張ることができる。したがって、柄を有する従来の雪降ろし器に対して、使用時の安全性を高めることができるとともに、降ろす際における雪Ｓの状態などを容易かつ確実に監視することができる。さらに、柄の代わりとなるワイヤ部３を備えるため、ワイヤ部３を備えることに伴う各種効果、具体的には、保管や携帯を行う際には、雪降ろし器本体部２に見合うスペースを確保できれば足りるため、保管性及び携帯性に優れる。しかも、軽量性及びコンパクト性に優れるため、取扱性及び作業性の向上、更には労力の軽減にも寄与できる。
【００３６】
特に、本実施形態に係る屋根用雪降ろし器１は、雪降ろし器本体部２を、棒体部４の所定位置における左右の外面にヒンジ部６ｐ，６ｑを介して一端２ｐｓ，２ｑｓ側を回動自在に取付け、かつ当該棒体部４に沿わせた閉位置Ｘｎ又は他端２ｐｔ，２ｑｔ側が当該棒体部４から離間し、所定の位置で停止する開位置Ｘｐに変位可能な左右一対の雪掻プレート部２ｐ，２ｑとを備えて構成した。したがって、雪降ろし器本体部２を屋根Ｒの上に投げる際には、雪掻プレート部２ｐ，２ｑを閉位置Ｘｎでき、全体をスリムな状態にして投げ易くできるとともに、雪Ｓを降ろす際には、ワイヤ部３を引張ることにより、雪Ｓの抵抗により雪掻プレート部２ｐ，２ｑを自動で開くことができ、開位置Ｘｐにおける雪掻プレート部２ｐ，２ｑにより雪Ｓを確実に掻き降ろすことができる。
【００３７】
加えて、本実施形態では、雪降ろし器本体部２に、閉位置Ｘｎで雪掻プレート部２ｐ，２ｑを保持機構７により保持するとともに、ワイヤ部３を引張ることにより、保持機構７による保持を解除し、弾性部材８ｐ，８ｑにより雪掻プレート部２ｐ，２ｑを開位置Ｘｐへ変位させる自動開閉機能部９を設けたため、雪降ろし器本体部２を屋根Ｒの上に投げる際には、雪掻プレート部２ｐ，２ｑを閉位置Ｘｎにロックできるとともに、ワイヤ部３を引張ることにより雪掻プレート部２ｐ，２ｑに対するロックを自動で解除でき、使用時の取扱性（作業性）や作業容易性をより高めることができる。
【００３８】
以上、好適実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００３９】
例えば、雪掻プレート部２ｐ，２ｑの取付形態は各種形態により実施できる。具体的には、例示の場合、雪掻プレート部２ｐ，２ｑを棒体部４に対して横方向へ回動変位するように取付けたが、縦方向へ回動変位するように取付けてもよい。したがって、この場合、例示のように、二枚の雪掻プレート部２ｐ，２ｑであってもよいし、雪掻プレート部２ｐと２ｑを一体化した一枚の雪掻プレート部であってもよい。また、ワイヤ部３としてロープを例示したが、その他、金属素材を用いたワイヤやチェーン等であってもよい。さらに、自動開閉機能部９は、前述したように、必ずしも設けることを要しない。一方、使用方法において、例示は、棒体部４を使用者Ｈが手に持ち、マニュアル（人力）方式により投げ上げる場合を説明したが、その他、弓を用いて投げ上げたり、スプリング等の弾力により投げることができる専用の機材を用いてよく、投げる手段（方法）は任意である。
【産業上の利用可能性】
【００４０】
本考案に係る屋根用雪降ろし器は、屋根の上に積もった雪を降ろす際に用いることができる。なお、屋根には、住宅の屋根をはじめ、各種施設，工場，物置等における各種屋根をはじめ、地面から雪掻用具等が届かない高い位置における雪が積もる部位を全て含む概念である。
【符号の説明】
【００４１】
１：屋根用雪降ろし器，２：雪降ろし器本体部，２ｐ：雪掻プレート部，２ｑ：雪掻プレート部，２ｐｓ：雪掻プレート部の一端，２ｑｓ：雪掻プレート部の一端，２ｐｔ：雪掻プレート部の他端，２ｑｔ：雪掻プレート部の他端，３：ワイヤ部，３ｓ：ワイヤ部の一端，３ｔ：ワイヤ部の他端，３ｇ：グリップ部，４：棒体部，６ｐ：ヒンジ部，６ｑ：ヒンジ部，７：保持機構，８ｐ：弾性部材，８ｑ：弾性部材，９：自動開閉機能部，Ｒ：屋根，Ｓ：雪，Ｃｐ：雪掻面，Ｃｑ：雪掻面，Ｌｍ：所定の長さ，Ｘｎ：閉位置，Ｘｐ：開位置，Ｅ：地面
【図１】
0003192826.tif 000003
【図２】
0003192826.tif 000004
【図３】
0003192826.tif 000005
【図４】
0003192826.tif 000006
【図５】
0003192826.tif 000007